(57)【要約】【課題】  洋式便器の便座に座って小便するときに、小便の便器外への飛散を防ぎ、加えて伸縮自在となして幼児と成人に共用でき、更に便器を掃除するときには容易に取り外すことができるようにする。【解決手段】  便座の前部の下面に両面粘着テープ４をもって受け枠２を設置する。受け枠２に挿抜自在に嵌挿する支持アーム３に、上下方向に伸縮自在な小便用衝立て７を固着する。小便用衝立て本体７は固定部８と可動部１２とで構成し、可動部１２は所定のストロークで上下方向にスライドさせることができると共に、上昇した位置にて保持されるようにする。小便用衝立て７は傾斜し、且つ可動部１２の方形の板状をなす本体部１３は、横断面形状をゆるやかに湾曲させると共に上縁部及び左右両側縁部に返し部１３ａを形成する。【選択図】図１
0003113869.tif 000002
【実用新案登録請求の範囲】
【請求項１】
洋式便器の前部における便器本体と便座との間に設置する受け枠と、上記受け枠に挿抜自在に嵌挿する支持アームを構成し、この支持アームに固着した上下方向に伸縮自在な小便用衝立て本体とからなる洋式便器の小便用衝立て。
【請求項２】
上記小便用衝立て本体を、固定部と可動部とによって構成し、
固定部は、側面にガイド溝を形成し、上部を便器の後方に向かって傾斜させて支持アームに固着してなり、
可動部は、表面を便器の内側に向かって湾曲させると共に上部に取手を設けた本体部と、この本体部の背面に設けたガイド突条を備えたガイド部とからなり、
上記ガイド部のガイド突条を上記固定部のガイド溝に嵌合させて可動部を上下方向にスライド可能にしたことを特徴とする請求項１記載の洋式便器の小便用衝立て。
【請求項３】
上記固定部の上方に凹部を設けると共に、可動部のガイド突条の下部に上記凹部に嵌合する突起部を設け、上記凹部と突起部によって可動部の上昇位置における保持手段を構成したことを特徴とする請求項２記載の洋式便器の小便用衝立て。
【考案の詳細な説明】
【技術分野】
【０００１】
本考案は、洋式便器の小便用衝立てに関するものである。
【背景技術】
【０００２】
洋式便器にて便座に座った状態で小便をするとき、特に幼児の場合には元気が良いことから勢いよく放出され、便器本体と便座との間の隙間からと、場合によっては便座を飛び越えて便器外に小便が飛び散ることがある。また、このようなことは幼児ばかりでなく、時として成人の男子の場合にも起こりうる。
【０００３】
そしてこの場合には、そのまま放っておくと不衛生であり、結局保護者が一々便座や便器及びその周囲を掃除しなければならず、無駄な労力と時間を使わなければならない。また一方、幼児自身も汚した場合における保護者からの叱責を恐れ、安心して放尿することができない。
【０００４】
また、特許文献１に記載されているように、大人用和式便器に設置する幼児用便器も提案されているが、これも本件考案の課題を解決するものではなかった。
【特許文献１】実開平４−５９７９１
【考案の開示】
【考案が解決しようとする課題】
【０００５】
本考案は、上記の点に鑑みなされたものであって、洋式便器の前部に配置することによって小便の便器外への飛散を防ぎ、加えて伸縮自在として幼児と成人に共用でき、更に便器を掃除するときには小便用衝立て本体を容易に着脱することができるようにした洋式便器の小便用衝立てを提供するものである。
【課題を解決するための手段】
【０００６】
本考案の要旨とするところは、洋式便器の前部における便器本体と便座との間に着脱可能に設置する受け枠と、上記受け枠に挿抜自在に嵌挿する支持アームを構成し、この支持アームに固着した上下方向に伸縮自在な小便用衝立て本体とからなる洋式便器の小便用衝立てにある。
【０００７】
また、本考案の要旨とするところは、上記小便用衝立て本体を、固定部と可動部とによって構成し、固定部は側面にガイド溝を形成し上部を便器の後方に向かって傾斜させて支持アームに固着してなり、可動部は表面を便器の内側に向かって湾曲させると共に上縁部及び左右両側縁部に便器本体の中心側への返し部を形成し上部に取手を設けた本体部と、この本体部の背面に設けたガイド突条を備えたガイド部とからなり、上記ガイド部のガイド突条を上記固定部のガイド溝に嵌合させて可動部を上下方向にスライド可能にした洋式便器の小便用衝立てにある。
【０００８】
また、本考案の要旨とするところは、上記固定部のガイド溝の上方に凹部を設けると共に、可動部のガイド突条の下部に上記凹部に嵌合する突起部を設け、上記凹部と突起部によって可動部の上昇位置における保持手段を構成した洋式便器の小便用衝立てにある。
【考案の効果】
【０００９】
本考案は上記の如き構成であるから、洋式便器にて便座に座った状態で小便するとき、小便の便器外への飛散を防ぐことができる。また、伸縮自在であることから幼児のみならず成人も共用できると共に、小便用衝立て本体を容易に着脱することができるから、便器を清掃するときに邪魔にならないという長所がある。
【００１０】
上記小便用衝立て本体を便器の後方に向かって傾斜させた場合には、小便の勢いを和らげて飛散しにくくすることができると共に、便器内へ流れ落ち易くすることができる。
さらに、小便用衝立て本体を固定部と可動部とによって構成し、可動部は、表面を便器側に向かって湾曲させ、上縁部及び左右両側縁部に返し部を形成すると、小便の周囲への飛散を効果的に防ぐことができるのである。
また、上部に取手を設けた可動部を上下方向にスライド可能にしたことにより、子供でも容易に可動部をスライドさせることができる。
【００１１】
上記固定部の上方に設けた凹部と、可動部のガイド突条の下部に設けた突起部によって保持手段を構成した場合は、上方にスライドさせた可動部を上昇位置で確実に固定することができる。
【考案を実施するための最良の形態】
【００１２】
本考案を実施するための最良の形態は、洋式便器の前部における便器本体と便座との間に着脱可能に設置する受け枠と、上記受け枠に挿抜自在に嵌挿する支持アームに、上部が便器の後方に向かって適宜の角度に傾斜させて固着した上下方向に伸縮自在な小便用衝立て本体とによって構成する。
そして、上記小便用衝立て本体は固定部と可動部によって構成し、支持アームに固着する固定部は側面にガイド溝を形成し、可動部は方形の板状をなし表面を便器内側に向かってゆるやかに湾曲させると共に、上縁部及び左右両側縁部に便器本体の中心側への返し部を形成し、上部に取手を設けた本体部と、この本体の背面に設けた上記固定部のガイド溝に摺動自在に嵌合するガイド突条を形成したガイド部とからなる。
そしてガイド部のガイド突条を固定部のガイド溝に嵌合させて可動部を上下方向に所定のストロークでスライドさせると共に、上昇した位置で所定の保持手段によって保持させるようにするものである。
【００１３】
以下、本考案の実施形態について説明する。
図１は第１実施形態の一部切欠分解斜視図、図２は受け枠の平面図、図３は図２のＡ−Ａ線断面図、図４は図２のＢ−Ｂ線断面図、図５は小便用衝立て本体の固定部の正面図、図６は図５のＣ−Ｃ線断面図、図７は図５のＤ−Ｄ線断面図、図８は小便用衝立て本体の可動部の背面図、図９は図８のＥ−Ｅ線断面図、図１０は図８のＦ−Ｆ線断面図、図１１は本実施形態を洋式便器にセットした状態の平面図、図１２は図１１のＧ部分の拡大図及び図１３は本実施形態を洋式便器にセットした状態の一部切欠拡大縦断面図である。
【００１４】
図１に示す符号１はプラスチック等からなる洋式便器の小便用衝立てである。この小便用衝立て１は、洋式便器の前部における便器本体と便座との間に着脱可能に設置する受け枠２と、この受け枠２に挿抜自在に嵌挿する支持アーム３に固着した小便用衝立て本体７とからなる。
【００１５】
図２乃至図４に示すように、上記受け枠２は、その上面を両面粘着テープ４等によって便座の下面に固定するようにしている。そして、受け枠２の小便用衝立て本体７側の上面には、円弧状の平板からなるストッパー２ａを立設している。このストッパー２ａの上面と上記支持アーム３の上面の夫々には、中心を示す目印５，６を設けている。
上記受け枠２の上下両面には図示しない衝撃緩衝材を取り付けてもよい。
【００１６】
符号７は上記支持アーム３に固着した、上下方向に伸縮自在な小便用衝立て本体である。また、該小便用衝立て本体７は、本実施形態においては固定部８と可動部１２によって構成している。
【００１７】
固定部８は、図５乃至図７に示すように、湾曲した前板８ａと後板８ｂを連結部材９ａによって一定間隔を有して固定して横断面略Ｈ形に構成し、左右側面にガイド溝９，９を形成している。そしてこの連結部材９ａには、上部の適宜箇所に凹部１０，１０を設けると共に、ガイド溝９，９の下端は閉塞部材１１，１１によって閉塞している。
また、図１３に示すように、上記固定部８は上部が便器の後方に向かって適宜の角度に傾斜させた状態で、上記支持アーム３に固着している。
【００１８】
可動部１２は、図８乃至図１０に示すように、本体部１３とガイド部１６とからなる。本体部１３は方形の板状をなし、便器本体の中心側に向かってゆるやかに湾曲させると共に上縁部及び左右側縁部に便器本体の中心側への返し部１３ａを形成し、上部に取手１４を設けてなる。
ガイド部１６は上記本体部１３の背面に設け、中央に開放部１５ａを有する横断面略コ字形であり、上記固定部８のガイド溝９，９に摺動自在に嵌合するガイド突条１５，１５を形成してなる。
【００１９】
なお、上記返し部１３ａは湾曲させて形成し、場合によっては先端に厚みをつけてもよい。また、ガイド突条１５，１５下部の適宜位置に、上記固定部８の連結部材９ａに設けた凹部１０，１０に嵌合する突起部１７，１７を設けている。これら突起部１７，１７と凹部１０，１０とによって、可動部１２を上昇した位置で保持するための保持手段を構成するのである。
【００２０】
上述のように、可動部１２におけるガイド部１６のガイド突条１５，１５を固定部８のガイド溝９，９に摺動自在に嵌合させて、可動部１２を上下方向に所定のストロークでスライドさせることができるようにし、もって小便用衝立て本体７を上下方向に伸縮自在としたものである。図中、符号１８は洋式便器、１９は便器本体、２０は便座、２１は蓋を示す。
【００２１】
次に、上記実施形態の作用について説明する。
先ず、受け枠２を便座２０の前部の下面にセットする。この場合には受け枠２の上面に貼着した両面粘着テープ４によって貼り付ける。一方、固定部８に可動部１２を取り付けておき、固定部８の支持アーム３を受け枠２に挿し込めば、小便用衝立て本体７が便座２０の前部内面に立った状態で配置され、セットが完了するのである。
【００２２】
そして、便座に座って小便するときには、図１３に示す如く、取手１４を掴んで可動部１２が上記保持手段の働きで止まるまで引き上げ、そして用を足した後は再び取手１４を掴んで止まるまで押し下げればよい。
便器本体１９を清掃するときには、支持アーム３を受け枠２から引き抜いて小便用衝立て本体７を取り外せばよく、これにより便座２０を自由に上げ下げすることができるようになる。また、便座２０を清掃するときに邪魔になれば、受け枠２を便座２０から引き剥がせばよい。
【図面の簡単な説明】
【００２３】
【図１】本考案の第１実施形態の一部切欠分解斜視図
【図２】受け枠の平面図
【図３】図２のＡ−Ａ線断面図
【図４】図２のＢ−Ｂ線断面図
【図５】小便用衝立て本体の固定部の正面図
【図６】図５のＣ−Ｃ線断面図
【図７】図５のＤ−Ｄ線断面図
【図８】小便用衝立て本体の可動部の背面図
【図９】図８のＥ−Ｅ線断面図
【図１０】図８のＦ−Ｆ線断面図
【図１１】本実施形態を洋式便器にセットした状態の平面図
【図１２】図１１におけるＧ部分の拡大図
【図１３】本実施形態を洋式便器にセットした状態の一部切欠拡大縦断面図
【符号の説明】
【００２４】
１  洋式便器の小便用衝立て
２  受け枠
３  支持アーム
４  両面粘着テープ
７  小便用衝立て本体
８  固定部
９，９  ガイド溝
１０，１０  凹部
１２  可動部
１３  本体部
１３ａ  返し部
１５，１５  ガイド突条
１６  ガイド部
１７，１７  突起部
【図１】
0003113869.tif 000003
【図２】
0003113869.tif 000004
【図３】
0003113869.tif 000005
【図４】
0003113869.tif 000006
【図５】
0003113869.tif 000007
【図６】
0003113869.tif 000008
【図７】
0003113869.tif 000009
【図８】
0003113869.tif 000010
【図９】
0003113869.tif 000011
【図１０】
0003113869.tif 000012
【図１１】
0003113869.tif 000013
【図１２】
0003113869.tif 000014
【図１３】
0003113869.tif 000015